(57)【要約】【課題】展示室を正面から見た場合でも下方から見た場合でも展示室内の表示板の表示を確実に視認することのできる自動販売機を提供する。【解決手段】表示板６０の表示部６０ｃは斜め下方を向くように形成されているので、展示室１０を正面から見た場合でも展示室１０を下方から見た場合でも展示室１０内の表示板６０の表示を確実に視認することができ、例えば子供が利用する場合や車椅子に座った状態で利用する場合でも、表示板６０の表示を容易に視認することができ、利用者の利便性を向上する上で極めて有利である。【選択図】図５
2007219838.tif 000002
【特許請求の範囲】
【請求項１】
商品サンプルを展示する展示室と、展示室内に設けられ、所定の情報を表示する表示板とを備えた自動販売機において、
前記表示板を、所定の情報を表示する部分が斜め下方を向くように形成した
ことを特徴とする自動販売機。
【請求項２】
前記展示室内に表示板の背面側に位置するように設けられ、商品サンプルに上方から光を照射する照明装置を備え、
表示板を照明装置の幅方向に亘って延びるように設けた
ことを特徴とする請求項１記載の自動販売機。
【請求項３】
前記表示板を自ら発光することにより所定の情報を表示するように形成した
ことを特徴とする請求項１記載の自動販売機。
【請求項４】
外部から加わる衝撃を検知する防犯センサと、
防犯センサによって所定の大きさ以上の衝撃を検知すると、表示板によって所定の情報を表示する制御手段とを備えた
ことを特徴とする請求項３記載の自動販売機。
【発明の詳細な説明】
【技術分野】
【０００１】
本発明は、商品サンプルを展示するための展示室を有する自動販売機に関するものである。
【背景技術】
【０００２】
従来、この種の自動販売機としては、前面を開口した自動販売機本体と、自動販売機本体の前面の開口部を開閉する外扉と、外扉の前面側に設けられ、商品サンプルを展示する展示室と、展示室内の商品サンプルの背面側に設けられ、商品の広告等を表示する表示板とを備えたものが知られている（例えば、特許文献１参照。）。
【０００３】
また、他の自動販売機としては、前記自動販売機と同様の自動販売機本体、外扉及び展示室と、展示室内における商品サンプルの上方に吊り下げられ、自動販売機本体の前方に向かって商品の広告等を表示する表示板とを備えたものが知られている（例えば、特許文献２参照。）。
【特許文献１】実開平７−４１６８０号公報
【特許文献２】実用新案登録第３０１１６５５号公報
【発明の開示】
【発明が解決しようとする課題】
【０００４】
ところで、前記各自動販売機では、主な利用者層である成人の目の高さに応じた位置に展示室が設けられているので、展示室内の表示板は利用者から視認し易いように正面を向いている。このため、子供が利用する場合や車椅子に座った状態で利用する場合は、表示板を下方から見上げることになり、表示板の視認性を低下させるという問題点があった。
【０００５】
本発明は前記問題点に鑑みてなされたものであり、その目的とするところは、展示室を正面から見た場合でも下方から見た場合でも展示室内の表示板の表示を確実に視認することのできる自動販売機を提供することにある。
【課題を解決するための手段】
【０００６】
本発明は前記目的を達成するために、商品サンプルを展示する展示室と、展示室内に設けられ、所定の情報を表示する表示板とを備えた自動販売機において、前記表示板を、所定の情報を表示する部分が斜め下方を向くように形成している。
【０００７】
これにより、表示板は所定の情報を表示する部分が斜め下方を向くように形成されていることから、展示室を正面から見た場合でも下方から見上げた場合でも展示室内の表示板の視認性を低下させることがない。
【発明の効果】
【０００８】
本発明によれば、展示室を正面から見た場合でも下方から見た場合でも表示板の表示を確実に視認することができるので、例えば子供が利用する場合や車椅子に座った状態で利用する場合でも表示板の表示を容易に視認することができ、利用者の利便性を向上する上で極めて有利である。
【発明を実施するための最良の形態】
【０００９】
図１乃至図５は本発明の一実施形態を示すもので、図１は自動販売機の斜視図、図２は外扉を開いた状態の自動販売機の斜視図、図３は自動販売機の正面図、図４は外扉の要部斜視図、図５は自動販売機の要部側面断面図である。
【００１０】
この自動販売機は、前面を開口した自動販売機本体１と、自動販売機本体１の前面の開口部を開閉する外扉２とを備えている。
【００１１】
自動販売機本体１内には図示しない商品収納庫、商品コラム、冷却装置、加熱装置等が設けられている。
【００１２】
外扉２には、複数の商品サンプルＡを展示する展示室１０と、周知の硬貨投入口２０、紙幣投入口３０、硬貨返却口４０及び商品取出口５０とが設けられている。また、外扉２は、外扉２の前面を形成している平板状の前面板２ａと、前面板２ａの上端から背面側に延びる上端板２ｂと、前面板２ａの幅方向両端から背面側に延びる一対の側面板２ｃと、前面板２ｂの下端から背面側に延びる下端板２ｄと、外扉２の背面側を覆う背面板２ｅとを有する。各商品サンプルＡは前面板２ａ、上端板２ｂ、各側面板２ｂ及び背面板２ｅによって囲まれた空間に配置されている。
【００１３】
展示室１０は外扉２の上端側に設けられ、商品サンプルＡを載置するための第１載置台１１及び第２載置台１２と、各載置台１１，１２に載置された商品サンプルＡに光を照射するための照明装置としての蛍光灯１３と、展示室１０の前面を覆う透明板１４と、透明板１４の前面に設けられた周知の商品選択ボタン１４ａとを有する。展示室１０は主な利用者である成人の目の高さに応じた位置に設けられている。また、展示室１０内には広告等の所定の情報を表示する表示板６０が設けられている。
【００１４】
各載置台１１，１２は外扉２の幅方向に延びるように設けられ、第１載置台１１は第２載置台１２の上方に設けられている。各載置台１１，１２は背面板２ｅの前面に固定されている。各商品サンプルＡは各載置台１１，１２に外扉２の幅方向に並ぶように載置されている。
【００１５】
蛍光灯１３は外扉２の幅方向に延びるように設けられるとともに、第１載置台１１に載置されている各商品サンプルＡの上方に設けられている。蛍光灯１３は支持部材１５によって支持され、支持部材１５は外扉２の上端板２ｂの下面側に固定されている。支持部材１５は、外扉２の上端板２ｂの下面側に沿うように形成された板状の取付部１５ａと、取付部１５ａにおける外扉２の前面側から下方に延びる平板状の前面部１５ｂと、前面部１５ｂの下端から外扉２の背面側に延びる平板状の背面方向延設部１５ｃと、背面方向延設部１５ｃにおける外扉２の背面側から上方に延びる先端部１５ｄと、支持部材１５における外扉２の幅方向両端に設けられ、蛍光灯１３の端部を支持する一対の蛍光灯支持部１５ｅとを有する。尚、第２載置台１２の各商品サンプルＡに光を照射する蛍光灯１３は図示しない支持部材によって支持されている。
【００１６】
透明板１４はアクリル等の透明な樹脂材料から成り、外扉２の前面板２ａの開口部２ｆを閉鎖するように設けられている。開口部２ｆの上端は蛍光灯１３よりも少し下に位置する。このため、外扉２の正面から蛍光灯１３が直接見えることはない。
【００１７】
表示板６０はアクリル板等の透明または半透明な樹脂板から成り、支持部材１５の先端部１５ｄに取付けられている。表示板６０は、支持部材１５の先端部１５ｄに着脱自在に上方から係合する係合部６０ａと、係合部６０ａから下方に延びる平板状の延設部６０ｂと、延設部６０ｂの下端から上扉２の背面側に傾斜しながら下方に延びる平板状の表示部６０ｃとを有する。また、表示部６０ｃに広告等の所定の情報が表示されている。即ち、所定の情報を表示する表示部６０ｃが斜め下方を向くように形成されている。また、表示部６０ｃの背面側の上方には蛍光灯１３が配置されている。
【００１８】
以上のように構成された自動販売機においては、主な利用者層である成人が自動販売機本体１の前面側に立つと、展示室１０内の各商品サンプルＡが利用者の目と同等以下の高さに位置するとともに、展示室１０内の表示板６０が利用者の目と同等の高さに位置する。ここで、表示板６０の表示部６０ｃは斜め下方を向くように形成されているので、表示板６０の表示部６０ｃを正面から視認可能である。
【００１９】
一方、子供が利用する場合や車椅子に座った状態で利用する場合は、展示室１０を下方から見ることになる。ここで、表示板６０の表示部６０ｃは斜め下方を向くように形成されているので、展示室１０を下方から見た場合でも、表示板６０の表示部６０ｃを視認可能である。
【００２０】
また、表示部６０ｃの背面側の上方には蛍光灯１３が配置されているので、表示部６０ｃの背面に蛍光灯１３の光が照射され、表示部６０ｃの表示が明るくなる。従って、周囲が暗い場合は表示部６０ｃの表示が目立ち、表示部６０ｃが利用者に確実に視認される。
【００２１】
このように、本実施形態によれば、表示板６０の表示部６０ｃは斜め下方を向くように形成されているので、展示室１０を正面から見た場合でも展示室１０を下方から見た場合でも展示室１０内の表示板６０の表示を確実に視認することができ、例えば子供が利用する場合や車椅子に座った状態で利用する場合でも、表示板６０の表示を容易に視認することができ、利用者の利便性を向上する上で極めて有利である。
【００２２】
尚、本実施形態では、表示板６０を蛍光灯１３の幅方向所定位置に設けるようにしたものを示したが、表示板６０を蛍光灯１３の幅方向に亘って延びるように設けることも可能である（図６参照）。これにより、子供が利用する場合や車椅子に座った状態で利用する場合に、蛍光灯１３を直接視認することがなくなり、利用者の利便性を向上する上で極めて有利である。
【００２３】
また、本実施形態では、表示板６０が透明または半透明な樹脂板から成り、表示板６０に背面側から蛍光灯１３の光を照射するようにしたものを示したが、表示板６０を周知の電光表示装置から形成することも可能である。これにより、周囲が暗い場合でも表示板６０の表示を確実に視認することができ、利用者の利便性を向上する上で極めて有利である。
【００２４】
さらに、自動販売機本体１または外扉２に設けられ、所定の大きさ以上の衝撃によって異常を検知可能な防犯センサ７０と、所定の警告音を発生可能なブザー８０と、表示板６０の発光及びブザー８０の作動を制御する制御部９０とを備えることも可能である（図７参照）。この場合、制御部９０は表示板６０、防犯センサ７０及びブザー８０に接続されている。
【００２５】
防犯センサ７０によって所定の大きさ以上の衝撃が検知された場合の制御部９０の動作について図８のフローチャートを参照しながら説明する。先ず、防犯センサ７０によって所定の大きさ以上の衝撃が検知されると（Ｓ１）、ブザー８０を作動させるとともに（Ｓ２）、表示板６０の表示を点滅させる（Ｓ３）。
【００２６】
これにより、ブザー８０の警告音とともに表示板６０によって異常が表示されるので、強風等により音が伝わりにくい場合でも、自動販売機の異常を確実に知らせることができる。また、表示板６０の表示部６０ｃは斜め下方を向くように形成されているので、子供が利用する場合や車椅子に座っている状態でも自動販売機の異常を確実に知ることができる。
【００２７】
尚、防犯センサ７０としては、所定の部材の変形や位置ずれによって異常を検知する周知のセンサを用いることも可能である。
【図面の簡単な説明】
【００２８】
【図１】本発明の一実施形態を示す自動販売機の斜視図
【図２】外扉を開いた状態の自動販売機の斜視図
【図３】自動販売機の正面図
【図４】外扉の要部斜視図
【図５】自動販売機の要部側面断面図
【図６】本実施形態の変形例を示す自動販売機の正面図
【図７】本実施形態の他の変形例を示す自動販売機のブロック図
【図８】本実施形態の他の変形例における制御部の動作を示すフローチャート
【符号の説明】
【００２９】
１…自動販売機本体、２…外扉、２ａ…前面板、２ｂ…上端板、２ｃ…側面板、２ｄ…下端板、２ｅ…背面板、２ｆ…開口部、１０…展示室、１１…第１載置台、１２…第２載置台、１３…蛍光灯、１４…透明板、１５…支持部材、１５ｄ…先端部、２０…硬貨投入口、３０…紙幣投入口、４０…硬貨返却口、５０…商品取出口、６０…表示部、６０ａ…係合部、６０ｂ…延設部、６０ｃ…表示部、７０…防犯センサ、８０…ブザー、９０…制御部、Ａ…商品サンプル。
【図１】
2007219838.tif 000003
【図２】
2007219838.tif 000004
【図３】
2007219838.tif 000005
【図４】
2007219838.tif 000006
【図５】
2007219838.tif 000007
【図６】
2007219838.tif 000008
【図７】
2007219838.tif 000009
【図８】
2007219838.tif 000010